(57)【特許請求の範囲】
【請求項１】
内外の通気をはかる通気装置であって、
一対の縦材と該一対の縦材を接続する一対の横材からなり、厚さ方向に貫通した通気空間が形成された枠体と、
前記枠体に形成された通気空間に於ける外部側に配置された複数のルーバー部材からなるルーバーと、
前記枠体に形成された通気空間に於ける前記ルーバーよりも内部側に設けられ、パネル面を有し、該パネル面に格子状に区切られて構成された複数の開口を有する網パネルと、を有し、
前記ルーバーは、
前記複数のルーバー部材から選択されたルーバー部材から延設されて配置された感熱発泡体と、
前記複数のルーバー部材夫々を貫通し、該ルーバー部材どうしの間隔を保持し得るボルト部材によって該ルーバー部材どうしが連結されて構成されることを特徴とする通気装置。
【請求項２】
前記枠体は、一対の縦材の寸法が前記一対の横材の寸法よりも大きい長方形であることを特徴とする請求項１に記載した通気装置。
【請求項３】
前記枠体に形成された通気空間に配置された複数のルーバー部材は、該通気空間の厚さ方向に対応した一部が山形に屈折した形状であることを特徴とする請求項１又は２に記載した通気装置。
【請求項４】
室内と室外との通気をはかる通気ドアであって、
厚さ方向に貫通した開口部が形成されたドア本体と、
前記ドア本体に形成された開口部に取り付けた前記請求項１乃至請求項３の何れかに記載した通気装置と、
を有することを特徴とする通気ドア。
【発明の詳細な説明】
【技術分野】
【０００１】
本発明は、内外の通気をはかることができ且つ通気の熱に感応して遮断することができる通気装置と、この通気装置を利用した通気ドアに関するものである。
【背景技術】
【０００２】
屋内と屋外との通気、或いは室内と室外との通気をはかることで居住性の向上をはかることができる。例えば、ドアを閉めた状態で屋内と屋外との通気をはかるようにした通気ドアとして幾つかの提案がある。
【０００３】
特許文献１に記載された開閉体および開閉体装置は、開口部を閉じたときに下部から屋内側の側面に連通した通気路が形成され、該通気路の内部に設けた上下方向の通気口の上部に加熱により発泡して該通気口を遮断する発泡性樹脂が配置されている。この発泡性樹脂は開口部を挟んだ両側に配置されており、該開口部両側の空間と対面している面材と直接又は面状中間部材を介して間接的に面接触している。この技術では、火災等の発生により、空間の温度が上昇したとき、このときの熱を面接触により多量に且つ確実に伝達でき、発泡性樹脂の発泡膨張を有効に行わせて通気口の遮断を確実なものにできる。
【０００４】
また、特許文献２に記載された通気機構を有するドアは、扉体内部に正面壁を設けて屋外側空間と屋内側空間を形成すると共に、これらの空間を側方空間を介して連通させている。そして、側方空間には複数の中間壁が設けられ、これらの中間壁には高さ方向に間隔をおいて複数の開口が形成され、隣り合う中間壁に形成された開口が高さ方向に互い違いに形成されており、屋外側空間と屋内側空間がこれらの開口を介して連通している。この技術では、屋外側から屋内を覗くことができず、雨水の浸入を防ぐことができ、意匠性に優れ、外観が良好である。
【先行技術文献】
【特許文献】
【０００５】
【特許文献１】特許第３５２４３６４号公報
【特許文献２】特許第４６８４８０３号公報
【発明の概要】
【発明が解決しようとする課題】
【０００６】
しかし、特許文献１に記載された開閉体では、通気路が開閉体の下端面に形成された開口と屋内側の側面との間で上下方向に構成されている。このため、通気されていることを実感するのに充分な通気量を確保し得ない虞がある。また、発泡性樹脂が面材と直接または間接的に接触しているため、火災時に一方側の面材が加熱されたとき、加熱された面材に接触した発泡性樹脂が発泡するものの、他方側の発泡性樹脂は直接熱を受ける量が少なく、確実に発泡し得ない虞がある。
【０００７】
また、特許文献２に記載されたドアでは、火災時に通気機構を遮断する構造になっておらず、屋内外への熱の移動に対する配慮がないという問題がある。
【０００８】
上記各特許文献に記載された発明は何れもドアとして構成されたものである。しかし、通気をはかる部位としてはドア以外にも、例えば建物の外壁面や屋内に於ける間仕切り壁等があるが、これらの部位にも適用し得るように構成されたものではないという問題がある。
【０００９】
本発明の目的は、内外の通気をはかることができる通気装置と、この通気装置を利用した通気ドアを提供することにある。
【課題を解決するための手段】
【００１０】
上記課題を解決するために本発明に係る代表的な通気装置は、内外の通気をはかる通気装置であって、一対の縦材と該一対の縦材を接続する一対の横材からなり、厚さ方向に貫通した通気空間が形成された枠体と、前記枠体に形成された通気空間に於ける外部側に配置された複数のルーバー部材からなるルーバーと、前記枠体に形成された通気空間に於ける前記ルーバーよりも内部側に設けられ、パネル面を有し、該パネル面に格子状に区切られて構成された複数の開口を有する網パネルと、を有し、前記ルーバーは、前記複数のルーバー部材から選択されたルーバー部材から延設されて配置された感熱発泡体と、前記複数のルーバー部材夫々を貫通し、該ルーバー部材どうしの間隔を保持し得るボルト部材によって該ルーバー部材どうしが連結されて構成されるものである。
【００１１】
また、本発明に係る通気ドアは、室内と室外との通気をはかる通気ドアであって、厚さ方向に貫通した開口部が形成されたドア本体と、前記ドア本体に形成された開口部に取り付けた上記通気装置を有するものである。
【発明の効果】
【００１２】
本発明に係る通気装置では、枠体に形成された通気空間を介して内外の通気をはかることができる。また、枠体の内部側に該枠体に形成された通気空間を開閉する開閉部材が配置されているため、通気空間を介した通気又は遮断を所望の時期に行うことができる。
【００１３】
特に、枠体の形状を、縦材の寸法が横材の寸法よりも大きくすることで、縦方向に長い長方形とすることができる。このため、通気装置を玄関ドアに適用した場合でも、該通気装置を錠から充分に離隔させた位置に配置することができ、且つ通気装置の縦方向の寸法を玄関ドアの長さに対応させて大きい値とすることができる。
【００１４】
また、通気装置を適用する位置を玄関ドアに限らず、玄関に於けるドア脇の小壁や階段の踊り場、風呂場等の外壁部分、或いは屋内の廊下と居室との間仕切り壁等の内壁部分等の比較的に幅寸法が小さい部位も対象とすることができる。
【００１５】
特に、通気装置を取り付けるべき部位に応じて枠体に形成された通気空間の面積を設定することが可能となり、該通気空間の面積を大きくして充分な通気量を確保することができる。
【００１６】
また、ルーバー部材は一部が山形に屈折した形状を有するため、通気空間の室外側に配置されることで、山形の屈折部分が目隠しとなり、外側から内側を覗くことができない。このため、防犯上の見地からも好ましい。
【００１７】
また、網部材が内部側に配置されているため、外部からルーバーを通って通気空間に虫が侵入しても、この虫が内部側に入り込むことがない。特に、網部材は複数の開口が形成された網パネルに取り付けられているため、剛性の小さい網であっても安定した取付姿勢を保持することができる。
【００１８】
また、通気空間に配置された複数のルーバー部材から選択されたルーバー部材に感熱発泡体が配置されているため、該通気空間を通る空気の熱に感応して感熱発泡体が確実に発泡することができる。このように、感熱発泡体を選択されたルーバー部材に沿って配置することで、この感熱発泡体は略全表面が開口部を通る通気に曝されることとなり、確実な発泡を実現して通気空間を遮断することができる。
【００１９】
本発明に係る通気ドアでは、ドア本体に形成された開口部に通気装置を取り付けることによって、該通気装置を介して室内外の通気をはかることができる。また、開口部の室内側に、通気装置を構成する開閉部材が配置されているため、該開口部を介した通気又は遮断を所望の時期に行うことができる。
【図面の簡単な説明】
【００２０】
【図１】通気装置の横断面図である。
【図２】通気装置の縦断面図である。
【図３】通気装置の構成を説明する展開図である。
【図４】通気装置の開閉部材を開放した状態を説明する図である。
【図５】通気ドアとしての玄関ドアの構成を説明する図である。
【図６】玄関ドアの縦断面図と、横断面図である。
【図７】開口部を閉鎖した玄関ドアの裏面側の状態を説明する図である。
【図８】開口部を開放した玄関ドアの裏面側の状態を説明する図である。
【発明を実施するための形態】
【００２１】
本発明に係る通気装置は、ドアや壁面に形成された開口部分に装着されて内外の通気をはかるようにしたものである。特に、内部側に設けた開閉部材を開放することで枠体に形成された通気空間を介して内外の通気をはかり、開閉部材を閉鎖することで通気を遮断し得るように構成したものである。そして、通気空間に虫が侵入したような場合でも、網部材によって侵入した虫が通気空間を通過することを阻止することが可能である。
【００２２】
また、通気空間の外部側に配置したルーバーが、一部を山形に屈折させたルーバー部材を複数並べて構成されるため、外部側から内部側へ、或いは内部側から外部側に見通し得ないように構成されている。
【００２３】
特に、通気空間に於ける網部材よりも外部側であって、選択されたレール部材に感熱発泡体を配置したことによって、通気空間を通過する通気の温度が感熱発泡体の発泡温度よりも上昇したときに、該感熱発泡体が発泡して通気空間を遮断することが可能である。
【００２４】
即ち、通気装置の外部側で発生した火災等に起因して温度が上昇した空気が通気空間に入り込んだとき、この空気の温度に感応して感熱発泡体が発泡して通気空間を遮断することが可能である。また、通気装置の内部側から温度が上昇した空気が通気空間に入り込んだとしても、この空気の温度に感応して感熱発泡体が発泡して通気空間を遮断することが可能である。従って、通気装置の外部側、或いは内部側で発生した高い温度の空気を、該通気空間で確実に遮断して流出することを確実に防ぐことが可能となる。
【００２５】
本発明に於いて、通気装置の設置位置を限定するものではない。即ち、通気装置を玄関ドアに取り付けて外気と屋内の空気とを通気をはかるものであって良く、また居室と廊下を出入りする屋内ドアに取り付けて室外と室内との通気をはかるものであっても良い。更に、玄関脇に構成された小壁や風呂場や洗面所等の外壁、或いは屋内の仕切壁に取り付けて内外の通気をはかるものであっても良い。
【００２６】
通気装置を構成する枠体の形状や寸法は特に限定するものではないが、通気が存在することを充分に感じることができる程度の通気量を確保し得るような面積を有することが好ましい。しかし、単に大きい面積を有する通気空間を形成すれば良いというものではなく、例えば、玄関ドアとする場合、錠との位置関係を充分に考慮することが必要である。このような観点から、枠体（通気空間）の形状は縦方向の寸法が大きく、横方向の寸法が小さい長方形であることが好ましい。特に、通気装置を玄関ドアとする場合、通気空間は錠から充分に離隔した位置に配置されることが好ましい。
【００２７】
複数のルーバー部材からなるルーバーは目隠しになるものであり、この機能を有するものであれば形状やルーバー部材の数を限定するものではない。特に、ルーバー部材を薄い金属板の一部を山形に屈折させた形状とすることで、曲げ剛性の向上をはかることが可能となり、且つ通気を阻害することなく目隠しとしての機能を発揮させることが可能となり好ましい。
【００２８】
通気空間が室外から室内に貫通したままであると通気を阻害することがなく好ましいが、虫などが侵入する虞がある。このため、通気空間を覆うようにして網部材を配置することで虫の侵入を防ぐことが可能である。網部材として充分な曲げ剛性を有する材料によって構成されていれば、網部材を単独で構成することで良い。
【００２９】
しかし、網部材が充分な曲げ剛性を有することのない材料によって構成する場合、薄い金属板からなり充分な曲げ剛性を有する網パネルを利用することが好ましい。特に、網パネルを利用する場合、この網パネルに複数の開口を形成しておくことで、通気に要する面積を確保すると共に充分な曲げ剛性を確保することが好ましい
【００３０】
感熱発泡体は雰囲気が予め設定された温度に上昇したとき、この温度に感応して発泡するものである。このため、感熱発泡体としては前記機能を有するものであれば良く、特に材質を限定するものではない。この感熱発泡体の配置位置を網部材よりも室外側とすることで、発泡したときに通気空間を確実に遮断することが可能である。
【００３１】
特に、感熱発泡体は可及的に広い表面を熱を受ける面とすることが好ましい。このため、通気空間の外部側に配置されている複数のルーバー部材の中から適当な位置に存在する複数のルーバー部材を選択し、選択されたルーバー部材に沿って感熱発泡体を配置することが好ましい。このように配置された感熱発泡体では、略全体が通気空間を流れる空気に曝されることとなり、受熱面積が大きくなって確実な発泡を実現することが可能となる。
【００３２】
以下、本発明に係る通気装置の好ましい実施例について図１〜図４を用いて説明する。図に示すように、通気装置Ａは、一対の縦材１０ａと、この一対の縦材ａを接続する一対の横材１０ｂと、によって通気空間１０が形成された枠体を有している。
【００３３】
一対の縦材１０ａは、通気空間１０の縦方向の寸法を規定するものであり、予め設定された間隔を持って対峙して配置される。特に、一対の縦材１０ａは、断面形状が同じである必要はなく、一方は単純なクランク状に、他方は後述するルーバー部材と同様に、一部が山形に屈折した形状を有している。
【００３４】
図２に示すように、横材１０ｂは通気空間１０の横方向の寸法と略等しい寸法を有しており、クランク状に屈折して形成されている。そして、クランク状に形成された外部側の片が取り付けるべきドア或いは壁面と重なり、内部側の片が通気空間１０の内方に配置される
【００３５】
通気空間１０には、外部側に複数のルーバー部材１１ａ、１１ｂからなるルーバー１１が配置され、内部側に網パネル１５に支持された網部材１２が配置され、該網部材１２よりも外部側に複数の感熱発泡体１３が配置されている。また、通気空間１０の内部側には、該通気空間１０を開閉する開閉部材１４が配置されている。
【００３６】
ルーバー１１は、一対の縦材１０ａと一対の横材１０ｂとからなる枠体に構成された通気空間１０に、複数のルーバー部材１１ａ、１１ｂを縦にして並列させて構成されている。特に、通気空間１０の外部側に対応する端部は縦材１０ａ、横材１０ｂ外部側面から大きく突出することなく、僅かに突出している。即ち、ルーバー１１を通気空間１０に構成したとき、一部が通気装置Ａの外部側にある縦材１０ａ、横材１０ｂの厚さや化粧モールの厚さ分突出している。
【００３７】
ルーバー１１を構成する各ルーバー部材１１ａ、１１ｂは、通気空間１０の縦方向の寸法と略等しい長さを有しており、該通気空間１０の横方向に略一定の間隔を有するように配置される。特に、ルーバー部材１１ａは、通気空間１０に配置されたとき、内部側の端部が網パネル１５に到達することのないように構成されている。
【００３８】
ルーバー部材１１ｂは、感熱発泡体１３を支持するために、ルーバー１１を構成する複数のルーバー部材の中から選択されたルーバー部材となるものである。このルーバー部材１１ｂは、複数のルーバー部材１１ａ（本実施例では２枚）を挟んで配置されており、通気空間１０に配置されたとき、内部側の端部が網パネル１５の表面に接触し、或いは極めて接近し得るように構成されている。そして、網パネル１５と対向する部分が平坦な取付面１１ｂ１として形成されており、この取付面１１ｂ１に感熱発泡体１３が取り付けられている。
【００３９】
隣接するルーバー部材１１ａ、１１ｂ、及び縦材１０ａ、１０ｂどうしの間隔は、小児の指が入りこむことがないような寸法に設定されている。また、各ルーバー部材１１ａ、１１ｂ及び縦材１０ａ、１０ｂの外部側の端部は化粧モールやルーバーカバー等の保護部材１６で覆われており、これらの保護部材１６によって小児が触れても安全なように構成されている。
【００４０】
図３に示すように、ルーバー部材１１ａ、１１ｂ及び一方の縦材１０ａは、外部側に配置される端部を起点とする幅方向（通気空間１０の厚さ方向）の一部が山形（く字状）に屈折成形されている。また、ルーバー部材１１ａ、１１ｂ、及び他方の縦材１０ａには長手方向に複数のボルト穴１８ａが形成されると共に、一方の縦材１０ａには長手方向に複数のタップ穴１８ｂが形成されている。そして、他方の縦材１０ａと隣接するルーバー部材１１ａ、１１ｂの間にスペーサー１８ｃを介在させ、ルーバー部材１１ｄ側から固定ねじ１８ｄを各ボルト穴１８ａ、スペーサー１８ｃに貫通させて一方の縦材１０ａのタップ穴１８ｂに締結することで、通気空間１０の外部側にルーバー１１を構成することが可能である。
【００４１】
ルーバー部材１１ａ、１１ｂの一部を屈折成形させて構成することによって、通気面積を確保しつつ、通気空間１０の外部側から内部側を覗いたとしても、屈折成形部分が目隠しになって見通すことができない。また、一部を山形に屈折させて成形することで、曲げ剛性の向上をはかることが可能となり、ルーバー部材１１ａ、１１ｂを薄い金属板（例えばアルミニウム板や鋼板）によって構成することが可能である。
【００４２】
特に、ルーバー部材１１ａ、１１ｂを薄い鋼板を曲げ成形することによって構成することが可能であり、またアルミニウムの押出成形によって、或いはアルミニウムや亜鉛等のダイキャスト成形によって構成することも可能である。そして、このような薄い金属板を用いてルーバー１１を構成することで、大きい面積を持った通気空間１０を形成して良好な通気量を確保することが可能となる。
【００４３】
網部材１２は、通気空間１０に入り込んだ虫が内部側に侵入することを防ぐものであり、この機能を有するものを利用している。このような網部材１２としては、例えば網戸に用いる防虫網を採用することが可能である。網部材１２として防虫網を利用する場合、この防虫網を支持部材によって支持することが好ましい。
【００４４】
このため、ルーバー１１を通気空間１０に構成したとき、該ルーバー１１の縦方向両側に配置された縦材１０ａ、１０ｂの間隔と等しい幅寸法と、通気空間１０の縦方向の寸法と等しい長さ寸法を有する網パネル１５によって網部材１２を支持している。この網パネル１５には複数の開口１５ａ、１５ｂが形成されており、夫々の開口１５ａ、１５ｂによって通気路を構成している。
【００４５】
網パネル１５に形成された開口１５ａは、ルーバー１１を構成するルーバー部材１１ｂどうしの間隔寸法に対応する幅寸法と、予め設定された縦寸法を有している。また開口１５ｂは、一方の縦材１０ａと隣接するルーバー部材１１ｂとの間隔に対応する幅寸法と、予め設定された縦寸法を有している。そして、複数の開口１５ａと開口１５ｂの面積の総和が通気面積となる。
【００４６】
網パネル１５の外周部分の各辺には夫々取付片１５ｃ、１５ｄが略直角に屈折して額縁状に形成されており、縦方向に形成された取付片１５ｃと縦材１０ａとが一体的に固定されている。また、横方向に形成された取付片１５ｄと横材１０ｂとが一体的に固定されている。そして、網部材１２は、網パネル１５の内部側の表面に沿って配置されて支持されている。
【００４７】
感熱発泡体１３は熱に感応して発泡し、発泡体として通気空間１０を遮断するものであり、この機能を有し且つ不燃性のものであれば利用することが可能である。本実施例では、感熱発泡体１３として、１８０℃〜２００℃で発泡を開始するグラファイト系発泡体を用いている。
【００４８】
感熱発泡体１３は、ルーバー１１から選択されたルーバー部材１１ｂの内部側の端部に形成された取付面１１ｂ１に取り付けられることで、網部材１２よりも外部側に配置されている。この位置に配置されることによって、感熱発泡体１３は一面がルーバー部材１１ｂに接触するものの、他の面がすべて通気に曝されることとなる。特に、ルーバー部材１１ｂが薄い金属板によって形成され且つ全表面が通気に曝されるため、円滑な熱伝導を実現することが可能であり、通気の有する熱を確実に感熱発泡体１３に伝えて通気空間１０に形成される通気路を遮断することが可能である。
【００４９】
しかし、感熱発泡体１３を支持する構造を上記構造に限定するものではなく、網部材１２よりも外部側に配置された感熱発泡体１３が初期の配置位置を保持し得る構造であれば良い。このような構造としては、網パネル１５に突起を形成し、この突起に感熱発泡体１３を取り付けることでも良い。
【００５０】
上記の如くして、ルーバー１１、網部材１２、感熱発泡体１３、網パネル１５を組み合わせたとき、一対の縦材１０ａが左右両端に、一対の横材１０ｂが上下両端に夫々額縁状に配置されて一体的に構成されたパネル状の構造体が構成される。
【００５１】
上記構造体に於ける一対の縦材１０ａと一対の横材１０ｂの内部側に沿って額縁状に形成された枠体２０が一体的に構成されている。この枠体２０は、クリップ２１を介して一対の縦材１０ａ及び一対の横材１０ｂに取り付けられている。そして、開閉部材１４は、枠体２０に配置された複数の軸２０ａに回動可能に支持されると共に、ヒンジ２０ｂによって回動位置を保持し得るように構成されている。従って、開閉部材１４の回動中心となる軸２０ａは、縦材１０ａ、横材１０ｂの内部側の面から離隔することとなる。
【００５２】
このため、開閉部材１４は、肩部１４ａを有する凸型状に形成されている。そして、図１に示すように、通気空間１０を閉鎖したとき、肩部１４ａがクリップ２１に接触して通気を遮断し、該クリップ２１とヒンジ２０ｂによって閉鎖状態を保持し得るように構成されている。また、図４に示すように、通気空間１０を開放したとき、開閉部材１４は通気空間１０を介して充分な通気を確保し、ヒンジ２０ｂによって開放状態を保持し得るように構成されている。
【００５３】
上記の如く構成された通気装置Ａは、一対の縦材１０ａ及び一対の横材１０ｂの長さと、これら縦材１０ａ、横材１０ｂの厚さと開閉部材１４の厚さからなる直方体状の形状を有している。このため、一対の縦材１０ａ及び一対の横材１０ｂの長さに対応させた長方形状の開口部分に嵌合して取り付けることが可能である。
【００５４】
次に、上記通気装置Ａを適用した通気ドアの実施例について図５〜図８を用いて説明する。尚、通気装置Ａは前述した実施例をそのまま利用しており、細部の説明は省略する。また本実施例では、通気ドアを玄関ドア（以下単に「ドアＢ」という）として構成したものである。このため、通気は屋外と屋内との間で行われることとなる。
【００５５】
図５、図６に示すようにドアＢは、ドア本体１と、図示しない建物に設置したドア枠２と、を有しており、ドア本体１をドア枠２に設けた複数の軸３ａ及びドアクローザー３ｂを利用して取り付けることで、開閉可能に構成している。また、ドア本体１の所定位置にはドアハンドル４及び複数の錠５が設けられている。そして、ドア本体１に於けるドアハンドル４、錠５から離隔した位置に通気装置Ａが配置されており、該通気装置Ａを介して屋外と屋内との通気をはかることが可能なように構成されている。
【００５６】
通気装置Ａはドア本体１の所定位置に於ける上下及び左右に配置された開口枠６によって周囲が規定され、且つ厚さ方向に貫通して形成された開口部に設置されている。このため、クランク状に形成された縦材１０ａ、１０ｂは屋外側の片がドア本体１の外側面１ａと重なり、内部側の片が通気空間１０の内方に配置されて内側面１ｂと重なる。
【００５７】
また、通気空間１０の最も内部側に配置された網部材１２はドア本体１の内側面１ｂよりも僅かに屋外側に引き込んだ位置を保持する。そして、開閉部材１４は、内側面１ｂから屋内側に突出して形成された枠体２０に配置された複数の軸２０ａに回動可能に支持されると共に、ヒンジ２０ｂによって回動位置を保持し得るように構成されている。従って、開閉部材１４の回動中心となる軸２０ａは、ドア本体１の内側面１ｂから離隔することとなる。
【００５８】
このため、図７に示すように、開閉部材１４によって通気空間１０を閉鎖したとき、肩部１４ａがクリップ２１に接触して通気を遮断し、該クリップ２１とヒンジ２０ｂによって閉鎖状態を保持し得るように構成されている。特に、ドアＢがスチールドアである場合、開閉部材１４もスチール製であることが好ましく、クリップ２１にマグネットを設けておくことで、該マグネットによって開閉部材１４の閉鎖状態を保持することが可能である。また、図８に示すように、通気空間１０を開放したとき、開閉部材１４は通気空間１０を介して充分な通気を確保し、ヒンジ２０ｂによって開放状態を保持し得るように構成されている。
【００５９】
上記の如くして構成されたドアＢでは、通気空間１０に配置されたルーバー１１がドア本体１の外側面１ａと略同じ面内に存在し、且つ該通気空間１０の縦方向にルーバー部材１１ａ、１１ｂが略等しい間隔を持って配置される。このため、一対の縦材１０ａ及びルーバー部材１１ａ、１１ｂの間に形成される通気用の開口は縦長の細いスリット状となり、シャープなイメージを持った意匠を実現することが可能である。
【００６０】
本件発明者等の知見では、ドアを介して通気を実感するためには、６００ｃｍ２以上の通気面積を必要としている。本実施例では、通気空間１０を縦方向に長い長方形とすることで、通気を満足し得る面積を確保することが可能となり、屋内でも充分な通気を感知することが可能である。
【産業上の利用可能性】
【００６１】
本発明に係る通気装置は、玄関ドア或いは屋内に於ける居室ドア、更に、壁面の通気装置として利用することが可能である。
【符号の説明】
【００６２】
Ａ                通気装置
Ｂ                ドア
１                ドア本体
１ａ              外側面
１ｂ              内側面
２                ドア枠
３ａ              軸
３ｂ              ドアクローザー
４                ドアハンドル
５                錠
６                開口枠
１０              通気空間
１０ａ            縦材
１０ｂ            横材
１１              ルーバー
１１ａ、１１ｂ    ルーバー部材
１１ｂ１          取付面
１２              網部材
１３              感熱発泡体
１４              開閉部材
１４ａ            肩部
１５              網パネル
１５ａ、１５ｂ    開口
１５ｃ、１５ｄ    取付片
１８ａ            ボルト穴
１８ｂ            タップ穴
１８ｃ            スペーサー
１８ｄ            固定ねじ
２０              枠体
２０ａ            軸
２０ｂ            ヒンジ
２１              クリップ
【図１】
0006706906.tif 000002
【図２】
0006706906.tif 000003
【図３】
0006706906.tif 000004
【図４】
0006706906.tif 000005
【図５】
0006706906.tif 000006
【図６】
0006706906.tif 000007
【図７】
0006706906.tif 000008
【図８】
0006706906.tif 000009